(57)【要約】【課題】推奨スポットをユーザに提供する。【解決手段】情報提供装置（例えばナビゲーション装置１００）が、悪天候のときに推奨する悪天候推奨ＰＯＩを含む悪天候推奨ＰＯＩ情報を記憶する悪天候推奨ＰＯＩ情報記憶部２２を備え、悪天候推奨ＰＯＩ情報記憶部２２を参照して悪天候推奨ＰＯＩを検索し（例えばステップＳ１０２）、悪天候エリアを特定し（例えばステップＳ２０２）、検索した悪天候推奨ＰＯＩに到着したときに、悪天候エリアとなっている悪天候推奨ＰＯＩをユーザに提供する（例えばステップＳ２０１〜２０５，ステップＳ１０６）する。【選択図】図５
2014202648.tif 000002
【特許請求の範囲】
【請求項１】
推奨スポットをユーザに提供する情報提供装置であって、
悪天候のときに推奨する悪天候推奨ＰＯＩを示す悪天候推奨ＰＯＩ情報を記憶する悪天候推奨ＰＯＩ情報記憶手段と、
前記悪天候推奨ＰＯＩ情報記憶手段を参照して前記悪天候推奨ＰＯＩを検索する悪天候推奨ＰＯＩ検索手段と、
悪天候エリアを特定する悪天候エリア特定手段と、
前記悪天候推奨ＰＯＩ検索手段により検索された前記悪天候推奨ＰＯＩに到着したときに、前記悪天候エリアとなっている前記悪天候推奨ＰＯＩをユーザに提供する悪天候推奨ＰＯＩ提供手段とを含む
ことを特徴とする情報提供装置。
【請求項２】
前記悪天候推奨ＰＯＩに到着するまでの所要時間を算出する所要時間算出手段を含み、
前記悪天候エリア特定手段は、該所要時間算出手段により算出された所要時間が経過したときの悪天候エリアを特定し、
前記悪天候推奨ＰＯＩ提供手段は、前記悪天候推奨ＰＯＩの位置が前記所要時間算出手段により算出された所要時間が経過したときの悪天候エリア内となっていることに応じて、当該悪天候推奨ＰＯＩをユーザに提供する
請求項１記載の情報提供装置。
【請求項３】
ユーザの操作入力に応じて悪天候推奨ＰＯＩを検索する範囲を示す検索範囲を決定する検索範囲決定手段を含み、
前記悪天候推奨ＰＯＩ検索手段は、前記検索範囲決定手段により決定された検索範囲に基づいて悪天候推奨ＰＯＩを検索する
請求項１または請求項２記載の情報提供装置。
【請求項４】
推奨スポットをユーザに提供する情報提供装置に動作制御させるための情報提供プログラムであって、
悪天候のときに推奨する悪天候推奨ＰＯＩを含むＰＯＩ情報を記憶する悪天候推奨ＰＯＩ情報記憶手段を備える前記情報提供装置に、
前記悪天候推奨ＰＯＩ情報記憶手段を参照して前記悪天候推奨ＰＯＩを検索する悪天候推奨ＰＯＩ検索処理と、
悪天候エリアを特定する悪天候エリア特定処理と、
前記悪天候推奨ＰＯＩ検索処理により検索した前記悪天候推奨ＰＯＩに到着したときに、前記悪天候エリアとなっている前記悪天候推奨ＰＯＩをユーザに提供する悪天候推奨ＰＯＩ提供処理とを
実行させるための情報提供プログラム。
【発明の詳細な説明】
【技術分野】
【０００１】
本発明は、推奨スポットをユーザに提供する情報提供装置、および情報提供装置に動作制御させるための情報提供プログラムに関する。
【背景技術】
【０００２】
従来から、推奨スポットをユーザに提供する情報提供機能を有する装置として、情報提供装置が知られている。また従来から、情報提供機能を有する情報提供装置は、ナビゲーション装置として用いられている。
【０００３】
このようなナビゲーション装置には、天気の状態を考慮してユーザに推奨するスポットを提供するものがある。例えば、雨が降っているときに推奨できないスポットを提供するスポットから除くことにより、雨が降っていても問題なく利用できる施設に関する情報を提供することが開示されている（特許文献１参照）。
【０００４】
ところで、悪天候となることにより客足が鈍る店舗が存在することが経験則的に知られている。つまり、悪天候時には店舗によっては、客が少なくなるためにいわゆる穴場的なスポットとして利用できる場合がある。
【先行技術文献】
【特許文献】
【０００５】
【特許文献１】特開平１１−３３７３６１号公報
【発明の概要】
【発明が解決しようとする課題】
【０００６】
しかしながら、従来の情報提供機能を有するナビゲーション装置は、悪天候時に推奨できないスポットを提示するスポットから除くものであり、悪天候時にユーザに穴場的なスポットを提供するものではなかった。すなわち、ユーザに有用な情報を提供することに関しては、まだ改善の余地が残っていた。
【０００７】
そこで、本発明は、ユーザに有用な情報を提示することを目的とする。
【課題を解決するための手段】
【０００８】
本発明の情報提供装置は、推奨スポットをユーザに提供する情報提供装置であって、悪天候のときに推奨する悪天候推奨ＰＯＩを示す悪天候推奨ＰＯＩ情報を記憶する悪天候推奨ＰＯＩ情報記憶手段と、前記悪天候推奨ＰＯＩ情報記憶手段を参照して前記悪天候推奨ＰＯＩを検索する悪天候推奨ＰＯＩ検索手段と、悪天候エリアを特定する悪天候エリア特定手段と、前記悪天候推奨ＰＯＩ検索手段により検索された前記悪天候推奨ＰＯＩに到着したときに、前記悪天候エリアとなっている前記悪天候推奨ＰＯＩをユーザに提供する悪天候推奨ＰＯＩ提供手段とを含むことを特徴とする。
【０００９】
上記の構成としたことで、ユーザに有用な情報を提示することができるようになる。
【００１０】
前記悪天候推奨ＰＯＩに到着するまでの所要時間を算出する所要時間算出手段を含み、前記悪天候エリア特定手段は、該所要時間算出手段により算出された所要時間が経過したときの悪天候エリアを特定し、前記悪天候推奨ＰＯＩ提供手段は、前記悪天候推奨ＰＯＩの位置が前記所要時間算出手段により算出された所要時間が経過したときの悪天候エリア内となっていることに応じて、当該悪天候推奨ＰＯＩをユーザに提供する構成とされていてもよい。
【００１１】
ユーザの操作入力に応じて悪天候推奨ＰＯＩを検索する範囲を示す検索範囲を決定する検索範囲決定手段を含み、前記悪天候推奨ＰＯＩ検索手段は、前記検索範囲決定手段により決定された検索範囲に基づいて悪天候推奨ＰＯＩを検索する構成とされていてもよい。
【００１２】
また、本発明の情報提供プログラムは、推奨スポットをユーザに提供する情報提供装置に動作制御させるための情報提供プログラムであって、悪天候のときに推奨する悪天候推奨ＰＯＩを示す悪天候推奨ＰＯＩ情報を記憶する悪天候推奨ＰＯＩ情報記憶手段を備える前記情報提供装置に、前記悪天候推奨ＰＯＩ情報記憶手段を参照して前記悪天候推奨ＰＯＩを検索する悪天候推奨ＰＯＩ検索処理と、悪天候エリアを特定する悪天候エリア特定処理と、前記悪天候推奨ＰＯＩ検索処理により検索した前記悪天候推奨ＰＯＩに到着したときに、前記悪天候エリアとなっている前記悪天候推奨ＰＯＩをユーザに提供する悪天候推奨ＰＯＩ提供処理とを実行させるものである。
【発明の効果】
【００１３】
本発明によれば、ユーザに有用な情報を提示することができるようになる。
【図面の簡単な説明】
【００１４】
【図１】情報提供装置としてのナビゲーション装置の構成の例を示すブロック図である。
【図２】制御部と記憶部の構成の例を説明するための説明図である。
【図３】ＰＯＩ情報の格納状態の例を示す説明図である。
【図４Ａ】提示判定処理の概念を説明するための説明図である。
【図４Ｂ】提示判定処理の概念を説明するための説明図である。
【図４Ｃ】提示判定処理の概念を説明するための説明図である。
【図４Ｄ】提示判定処理の概念を説明するための説明図である。
【図５】ナビゲーション処理の例を示すフローチャートである。
【図６】提示判定処理の例を示すフローチャートである。
【発明を実施するための形態】
【００１５】
以下、本発明の一実施の形態について図面を参照して説明する。
【００１６】
図１は、本発明の一実施の形態に係る情報提供装置としてのナビゲーション装置１００の構成の例を示すブロック図である。ナビゲーション装置１００は、例えば、モバイルタイプのパーソナルコンピュータ、ＰＮＤ（Portable
Navigation Device）や専用デバイスなどの情報処理装置によって構成されるものである。なお、本例においては、ナビゲーション機能を有する情報提供装置としてのナビゲーション装置１００を例にして説明を行うが、ナビゲーション機能を有さない情報提供装置であってもよい。
【００１７】
図１に示すように、ナビゲーション装置１００は、制御部１０と、記憶部２０と、メモリ３０と、出力部４０と、センサ部５０と、通信部６０と、入力部７０とを含む。なお、図示しないが、ナビゲーション装置１００は、ＣＰＵ（中央処理装置）、プログラム記憶部、ＯＳ（オペレーティング・システム）等、一般的なナビゲーション装置としての機能を発揮するための構成を有する。
【００１８】
制御部１０は、例えばＣＰＵにより構成され、記憶部２０に記憶されたコンピュータプログラム（ナビゲーション装置１００に動作制御させるためのコンピュータプログラムであり、情報探索プログラムを含む。）に従い、ナビゲーション装置１００を構成する各要素を統括制御し、探索条件に応じた情報を探索する情報探索機能を含む各種の処理を実行するための各種の機能を有する。制御部１０の構成については、後で詳しく説明する（図２参照）。
【００１９】
記憶部２０は、ＲＯＭやＲＡＭなどで構成され、ナビゲーション装置１００が使用する各種コンピュータプログラムや、情報など、ナビゲーション装置として必要または有用な各種情報を記憶する記憶媒体である。記憶部２０の構成については、後で詳しく説明する（図２参照）。
【００２０】
メモリ３０は、制御部１０が処理する各種情報を一時的に保持する記憶媒体であり、ＲＡＭなどの半導体記憶装置により構成される。
【００２１】
出力部４０は、各種情報、特に情報探索に関する各種情報をユーザが認識可能な形で出力する機能を備え、例えば画像情報を表示する画像表示装置（ディスプレイ装置、モニタ）と、音声情報を音声出力する音声出力装置（スピーカ装置）とを含む。
【００２２】
センサ部５０は、ナビゲーション装置１００の現在位置（すなわち、ユーザの現在位置）を測位する機能を備えており、例えば、ＧＰＳ衛星から送られてくるＧＰＳ信号を受信し、このＧＰＳ信号に基づいて位置を測定するＧＰＳセンサや、初期位置から移動量（距離）を計測する速度センサ、進行（移動）方位を計測するジャイロセンサ等からなる。
【００２３】
ＧＰＳセンサは、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の現在位置（ＧＰＳ測位解）を算出する。
【００２４】
また、センサ部５０は、ＧＰＳ信号を受信するＧＰＳ受信機（アンテナ）の他、受信したＧＰＳ信号のデコード等の処理を行い、制御部１０に提示する機能を有する。
【００２５】
通信部６０は、インターネットなどの通信ネットワークに無線あるいは有線によって接続し、通信ネットワークに接続された管理サーバなどの外部の装置と情報の送受信を行うための機能を有する。
【００２６】
入力部７０は、制御部１０に対する各種指示をユーザから受け付ける機能を有する。本例では、入力部７０は、センサ部５０が検出した各種データ（例えば、方位と傾きを示すデータ）をユーザからの指示として受け付ける。また、入力部７０は、例えば画像表示装置の表示画面上に表示される仮想ボタンや、ナビゲーション装置を構成する筐体に設けられる物理的ボタン（物理ボタン）などを備えていてもよい。
【００２７】
図２は、本例における制御部１０と記憶部２０の構成の例を説明するための説明図である。図２に示すように、制御部１０は、センサ情報処理部１１と、通信処理部１２と、経路探索部１３とを含む。
【００２８】
センサ情報処理部１１は、センサ部５０により位置情報や速度情報などのセンサ情報の特定や記憶などを行うための処理を実行する機能を有する。本例においては、ナビゲーション装置１００は、例えばセンサ情報処理部１１により特定した位置情報を後述する道路地図情報と照合することにより、道路地図情報が示す地図上におけるユーザの現在位置を特定する。また、ナビゲーション装置１００は、センサ部５０により検出された各種データから、ナビゲーション装置１００の先端が向いている方位と、ナビゲーション装置１００の傾きとを特定する。
【００２９】
通信処理部１２は、通信部６０により各種情報の送受信を行うための処理を実行する機能を有する。本例においては、通信処理部１２は、インターネットなどの通信回線を介して、外部サーバなどから、例えば天気に関する天気情報などの各種情報を取得する処理を行う。
【００３０】
経路探索部１３は、地図上の２点間の移動経路を探索する経路探索処理を実行する機能を有する。例えば、経路探索部１３は、現在位置から目的地（経由地を含む）までの経路を探索する処理を実行する機能を有する。また、経路探索部１３は、探索した経路における所要時間を算出する処理を実行する機能を有する。なお、経路探索処理については公知の技術を用いるので、ここでの詳細な説明は省略する。また、経路探索処理に必要な情報、例えば現在位置の特定や移動経路周辺地図を生成するためなどに用いられる地図情報は、予め記憶部２０に記憶されている構成としてもよいし、通信部６０により外部の管理サーバなどから取得する構成としてもよい。
【００３１】
記憶部２０は、図２に示すように、道路地図情報記憶部２１と、悪天候推奨ＰＯＩ情報記憶部２２と、検索結果情報記憶部２３とを含む。
【００３２】
道路地図情報記憶部２１は、道路地図情報を記憶する記憶媒体である。なお、本例のナビゲーション装置１００は、自己が備える道路地図情報記憶部２１に道路地図情報を記憶する構成としているが、道路地図情報を記憶する外部メディア（例えば、ＣＤ−ＲＯＭやＤＶＤ−ＲＯＭなど）から道路地図情報を取得する構成としてもよい。
【００３３】
道路地図情報は、所定のグリッド（本例においては、一定の緯度幅と緯度幅で区切られた矩形状の範囲）に分割された地図情報と、交通規制や道路の構成などを示す道路情報とを含む情報である。
【００３４】
悪天候推奨ＰＯＩ情報記憶部２２は、悪天候のときに推奨するスポットを示す悪天候推奨ＰＯＩ情報を記憶する記憶媒体である。
【００３５】
図３は、悪天候推奨ＰＯＩ情報記憶部２２における悪天候推奨ＰＯＩ情報の格納状態の例を示す説明図である。図３に示すように、本例における悪天候推奨ＰＯＩ情報は、ＰＯＩを一意に特定するためのＰＯＩ‐ＩＤと、ＰＯＩの名称と、住所と、緯度・経度と、電話番号と、悪天候有益情報とを含む。
【００３６】
悪天候有益情報とは、悪天候のときにおいて、どのように有益であるかを示す情報である。図３に示すように、悪天候有益情報は、「客数が通常時の６０％（つまり、空いた状態の店舗を利用できることを示す）」や、「雨天時限定ショー有」などの店舗に応じた悪天候時における有益な情報を含む。本例の悪天候有益情報は、悪天候のときにおいて有益な情報の内容を意味することとしているが、悪天候のときに限らず、悪天候と予測される日に有益な情報などとしてもよい。
【００３７】
悪天候とは、雨、雪、みぞれ、雹、あられ、および雷となっている天気状態を示す。
【００３８】
検索結果情報記憶部２３は、悪天候推奨ＰＯＩ情報の検索結果を示す検索結果情報を記憶する記憶媒体である。本例における検索結果情報記憶部２３は、ＰＯＩ−ＩＤと、判定結果とを含む。
【００３９】
判定結果は、ユーザに提示するか否かを示す情報である。本例における判定結果は、提示判定処理の処理結果に応じて「１」または「０」の何れかとなるように構成される。「１」はユーザに提示する値を示し、「０」はユーザに提示しない値を示す。
【００４０】
次に、ナビゲーション装置１００が実行するナビゲーション処理の概念について図を参照して説明する。本例のナビゲーション処理は、検索した悪天候推奨ＰＯＩまでの到着所要時間による悪天候エリアの移り変わりを考慮し、ユーザに提供する悪天候推奨ＰＯＩを決定する。
【００４１】
図４Ａは、ナビゲーション装置が実行する提示判定処理の概念を説明する説明図である。図４Ａに示すように、現在位置３０１と、現在位置３０１周辺には悪天候推奨ＰＯＩ３０２〜３０４と、３×３の格子に区分けされた９つのエリアと、現在の悪天候エリア３０５とが存在するものとする。ここで、悪天候エリアとは、悪天候となっているエリアを示す。
【００４２】
この場合に、ナビゲーション装置１００が、悪天候推奨ＰＯＩ３０２〜３０４を検索し、検索結果情報に格納したとする。
【００４３】
まず、ナビゲーション装置１００は、悪天候推奨ＰＯＩ３０２について提示判定処理を実行するとする。ナビゲーション装置１００は、悪天候推奨ＰＯＩ３０２に到着したときの悪天候エリア３０６を特定する。図４Ｂは、提示判定処理の概念を説明するための説明図である。具体的には、悪天候推奨ＰＯＩ３０２に到着したときの悪天候エリア３０６の例を示す説明図である。図４Ｂに示すように、悪天候エリア３０６内に悪天候推奨ＰＯＩ３０２は存在しないので、ユーザに提示する悪天候推奨ＰＯＩとしては取り扱わない。
【００４４】
次いで、ナビゲーション装置１００は、悪天候推奨ＰＯＩ３０３について提示判定処理を実行するとする。ナビゲーション装置１００は、悪天候推奨ＰＯＩ３０３に到着したときの悪天候エリア３０７を特定する。図４Ｃは、提示判定処理の概念を説明するための説明図である。具体的には、悪天候推奨ＰＯＩ３０３に到着したときの悪天候エリア３０７の例を示す説明図である。図４Ｃに示すように、悪天候エリア３０７内に悪天候推奨ＰＯＩ３０３は存在しないので、ユーザに提示する悪天候推奨ＰＯＩとしては取り扱わない。なお、図４Ａに示すように、悪天候推奨ＰＯＩ３０３の検索を実行したときには、悪天候推奨ＰＯＩ３０３は悪天候エリア３０５内に存在していたものの、到着時には悪天候となっていない悪天候推奨ＰＯＩについては、ユーザに提示するＰＯＩとしては取り扱わない。
【００４５】
そして、ナビゲーション装置１００は、悪天候推奨ＰＯＩ３０４について提示判定処理を実行するとする。ナビゲーション装置１００は、悪天候推奨ＰＯＩ３０４に到着したときの悪天候エリア３０８を特定する。図４Ｄは、提示判定処理の概念を説明するための説明図である。具体的には、悪天候推奨ＰＯＩ３０４に到着したときの悪天候エリア３０８の例を示す説明図である。図４Ｄに示すように、悪天候エリア３０８内に悪天候推奨ＰＯＩ３０４が存在するので、ユーザに提示する悪天候推奨ＰＯＩとして取り扱う。
【００４６】
次に、本例におけるナビゲーション装置１００の動作について図を参照して説明する。なお、本発明に特に係わらない処理については、その詳細な説明を省略している場合がある。なお、本例のナビゲーション装置１００は、ユーザから悪天候時のお勧めスポット検索指示を受け付けたときにナビゲーション処理を開始する構成としている。
【００４７】
図５は、ナビゲーション装置１００が実行するナビゲーション処理の例を示すフローチャートである。
【００４８】
ナビゲーション処理において、先ず、制御部１０は、ユーザから悪天候推奨ＰＯＩ情報の検索範囲を決定するための選択操作をユーザから受け付けて、受け付けた選択操作に応じて検索範囲を決定する（ステップＳ１０１）。なお、本例のナビゲーション装置１００は、ユーザからの選択操作に応じて検索範囲を決定する構成としているが、ユーザから検索範囲の選択操作を受け付けることなくユーザの現在位置周辺を検索範囲として決定する構成としてもよい。
【００４９】
検索範囲を決定すると、制御部１０は、決定した検索範囲内の悪天候推奨ＰＯＩを検索する（ステップＳ１０２）。つまり、制御部１０は、悪天候推奨ＰＯＩ情報記憶部２２を参照して悪天候推奨ＰＯＩを検索する。なお、ナビゲーション装置１００は、ユーザに検索範囲の選択操作を行わせるときに、悪天候となっているエリアと、これから悪天候となるエリアとを含む悪天候エリアを提示し、提示した悪天候エリアに対する選択をユーザから受け付け、ユーザが選択した悪天候エリア周辺の悪天候推奨ＰＯＩを検索する構成としてもよい。このような構成によれば、ユーザの意図を反映させてユーザに有用な情報を提供することができる。また、効率的に悪天候推奨ＰＯＩを検索することができるようになる。
【００５０】
悪天候推奨ＰＯＩを検索すると、制御部１０は、検索した悪天候推奨ＰＯＩを検索結果情報として検索結果情報記憶部２３に格納する（ステップＳ１０３）。
【００５１】
検索結果情報を格納すると、制御部１０は、提示判定処理を実行する悪天候推奨ＰＯＩを決定する（ステップＳ１０４）。具体的には、制御部１０は、検索結果情報を参照して、提示判定処理を実行していない（つまり、判定結果が決定されていない）悪天候推奨ＰＯＩのいずれかを提示判定処理を実行する悪天候推奨ＰＯＩとして決定する。
【００５２】
提示判定処理を実行する悪天候推奨ＰＯＩを決定すると、制御部１０は、決定した悪天候推奨ＰＯＩについて提示判定処理を実行する（ステップＳ２００）。
【００５３】
図６は、提示判定処理の例を示すフローチャートである。
【００５４】
提示判定処理において、先ず、制御部１０は、悪天候推奨ＰＯＩに到着するまでの所要時間を算出する（ステップＳ２０１）。つまり、制御部１０は、現在位置を特定し、特定した現在位置から悪天候推奨ＰＯＩに到着するまでの所要時間を算出する。
【００５５】
悪天候推奨ＰＯＩに到着するまでの所要時間を算出すると、制御部１０は、算出した所要時間が経過したときの悪天候エリアを特定する（ステップＳ２０２）。
【００５６】
悪天候エリアを特定すると、制御部１０は、検索した悪天候推奨ＰＯＩの位置が特定した悪天候エリア内に存在するか否かを判定する（ステップＳ２０３）。なお、本例のナビゲーション装置は、格子状に区分けされたエリアを用いて悪天候エリアを特定し、特定した悪天候エリア内に悪天候推奨ＰＯＩが存在するか否かを判定する構成としているが、悪天候推奨ＰＯＩの位置の天気が悪天候となっているか否かを判定する構成としてもよい。
【００５７】
悪天候エリア内に存在しないと判定したとき（ステップＳ２０３のＮ）には、制御部１０は、ユーザに提示する悪天候推奨ＰＯＩとしないことを決定する（ステップＳ２０４）。具体的には、制御部１０は、悪天候エリア内に存在しないと判定した悪天候推奨ＰＯＩの判定結果を「０」として検索結果情報を更新する。
【００５８】
一方で、悪天候エリア内に存在すると判定したとき（ステップＳ２０３のＹ）には、制御部１０は、ユーザに提示する悪天候推奨ＰＯＩとすることを決定する（ステップＳ２０５）。具体的には、制御部１０は、悪天候エリア内に存在すると判定した悪天候推奨ＰＯＩの判定結果を「１」として検索結果情報を更新する。
【００５９】
提示判定処理により検索結果情報を「０」または「１」として更新すると、制御部１０は、ナビゲーション処理に戻り、提示判定処理を実行していない悪天候推奨ＰＯＩが存在するか否かを判定する（ステップＳ１０５）。つまり、制御部１０は、検索結果情報に含まれるすべての悪天候推奨ＰＯＩについて提示判定処理が実行されて、判定結果が決定されているか否かを判定する。
【００６０】
提示判定処理を実行していない悪天候推奨ＰＯＩが存在すると判定した（ステップＳ１０５のＹ）ときには、制御部１０は、ステップＳ１０４に移行し、提示判定処理を実行する悪天候ＰＯＩ情報を決定する。
【００６１】
一方で、提示判定処理を実行していない悪天候推奨ＰＯＩが存在しないと判定したとき（ステップＳ１０５のＮ）には、制御部１０は、判定結果が「１」の悪天候推奨ＰＯＩをユーザに選択可能に提示する（ステップＳ１０６）。つまり、制御部１０は、検索した悪天候推奨ＰＯＩに到着したときに、悪天候エリアとなっている悪天候推奨ＰＯＩをユーザに提供する。
【００６２】
制御部１０は、判定結果が「１」の悪天候推奨ＰＯＩを選択可能に表示すると、ユーザから選択操作を受け付けて、受け付けた選択操作が表示した悪天候推奨ＰＯＩを目的地または経由地とする選択操作であるか否かを判定する（ステップＳ１０７）。
【００６３】
ユ受け付けた選択操作が表示した悪天候推奨ＰＯＩを目的地または経由地とする選択操作ではないと判定したとき（ステップＳ１０７のＮ）には、制御部１０は、ナビゲーション処理を終了する。
【００６４】
一方で、受け付けた選択操作が表示した悪天候推奨ＰＯＩを目的地または経由地とする選択操作であると判定したとき（ステップＳ１０７のＹ）には、制御部１０は、ユーザが選択した悪天候推奨ＰＯＩを目的地または経由地として設定する（ステップＳ１０８）。
【００６５】
目的地または経由地を設定すると、制御部１０は、目的地または経由地までの経路を探索し、経路誘導を開始する（ステップＳ１０９）。
【００６６】
経路誘導を実行すると、制御部１０は、経路誘導を終了するか否かを判定する（ステップＳ１１０）。つまり、制御部１０は、目的地または経由地に到着したか否かを判定する。経路誘導を終了しないと判定したとき（ステップＳ１１０のＮ）には、制御部１０は、ステップＳ１０９に移行し、再度誘導経路を終了するか否かを判定する。
【００６７】
一方で、経路誘導を終了すると判定したとき（ステップＳ１１０のＹ）には、制御部１０は、経路誘導を終了し、ナビゲーション処理を終了する。
【００６８】
以上に説明したように、上述した実施の形態では、推奨スポットをユーザに提供する情報提供装置（例えばナビゲーション装置１００）が、悪天候のときに推奨する悪天候推奨ＰＯＩを示す悪天候推奨ＰＯＩ情報を記憶する悪天候推奨ＰＯＩ情報記憶部２２を備え、悪天候推奨ＰＯＩ情報記憶部２２を参照して悪天候推奨ＰＯＩを検索し（例えばステップＳ１０２）、悪天候エリアを特定し（例えばステップＳ２０２）、検索した悪天候推奨ＰＯＩに到着したときに、悪天候エリアとなっている悪天候推奨ＰＯＩをユーザに提供する（例えばステップＳ２０１〜２０５，ステップＳ１０６）構成としている。このような構成によれば、今までユーザに提供できていなかった有用な情報をユーザに提供することができるようになる。
【００６９】
特に、ナビゲーション装置１００は、悪天候のときに推奨する悪天候推奨ＰＯＩを示す悪天候推奨ＰＯＩ情報を記憶する悪天候推奨ＰＯＩ情報記憶部２２を備え、悪天候推奨ＰＯＩを検索し、悪天候エリアを特定し、検索した悪天候推奨ＰＯＩに到着したときに、悪天候エリアとなっている悪天候推奨ＰＯＩをユーザに提供する構成としている。したがって、悪天候エリア内に存在する悪天候ならではの推奨スポットに関する情報をユーザに提供することができるようになる。したがって、今までユーザに提供できていなかった有用な情報をユーザに提供することができるようになる。
【００７０】
また、上述した実施の形態において、ナビゲーション装置１００は、悪天候推奨ＰＯＩに到着するまでの所要時間を算出し、算出した所要時間が経過したときの悪天候エリアを特定し、悪天候推奨ＰＯＩの位置が算出した所要時間が経過したときの悪天候エリア内となっていることに応じて、当該悪天候推奨ＰＯＩをユーザに提供する構成としている。このような構成によれば、より正確に悪天候エリア内の悪天候推奨ＰＯＩを特定することができるようになる。したがって、よりユーザに有用な情報を提供することができるようになる。
【００７１】
また、上述した実施の形態において、ナビゲーション装置１００は、ユーザの操作入力に応じて悪天候推奨ＰＯＩを検索する範囲を示す検索範囲を決定し、決定した検索範囲に基づいて悪天候推奨ＰＯＩを検索する構成としている。このような構成によれば、ユーザの意図に沿った範囲の悪天候推奨ＰＯＩを検索することができるようになるため、ユーザに有用な情報を提供することができるようになる。
【００７２】
なお、上述した実施の形態では特に言及していないが、ナビゲーション装置１００は、既に目的地を設定し経路誘導を実行している場合には、ＰＯＩ情報を参照し、目的地周辺に位置する悪天候推奨ＰＯＩを検索する構成としてもよい。このような構成によれば、向かっている方向を換えることなく悪天候推奨ＰＯＩを検索することができるようになるため、よりユーザの意図に沿ったナビゲーション装置（情報提供装置）を提供することができるようになる。
【００７３】
なお、上述した実施の形態では特に言及していないが、ナビゲーション装置１００は、既に目的地を設定し経路誘導を実行している場合には、ＰＯＩ情報を参照し、目的地までの誘導経路周辺に位置する悪天候推奨ＰＯＩを検索する構成としてもよい。このような構成によれば、目的地に到着する途中に位置する悪天候推奨ＰＯＩを検索することができるようになるため、ユーザに有用な情報を提供する機会を増やすことができるようになる。
【００７４】
なお、上述した実施の形態では特に言及していないが、ナビゲーション装置１００は、既に目的地を設定し経路誘導を実行している場合には、目的地までの距離を算出し、現在位置を中心として算出した距離を半径とする円の内部に位置する悪天候推奨ＰＯＩを検索する構成としてもよい。このような構成によれば、ユーザの移動距離を変えることなく悪天候推奨ＰＯＩを検索することができるようになるため、目的地に到着する時間が遅れることのない範囲で悪天候推奨ＰＯＩを検索できるようになる。したがって、ユーザに有用な情報を提供することができるようになる。
【００７５】
また、上述の実施の形態では言及していないが、ナビゲーション装置１００は、悪天候エリア内の悪天候ＰＯＩ情報を特定し、悪天候エリアの悪天候となっている時間帯を特定し、現在時刻を特定し、特定した時間帯に悪天候推奨ＰＯＩに到着できるか否かを判定し、到着できると判定した悪天候推奨ＰＯＩ情報をユーザに提供する構成としてもよい。つまり、上述した実施の形態では、ナビゲーション装置１００が、到着所要時間による悪天候エリアの移り変わりを考慮して、ユーザに提供する悪天候推奨ＰＯＩを決定する構成としていたが、悪天候エリアの悪天候となっている時間帯を特定し、時間帯内に当該悪天候エリア内の悪天候推奨ＰＯＩに到着できるか否かを考慮することによりユーザに提供する悪天候推奨ＰＯＩを決定する構成としてもよい。また、このような構成において、さらにナビゲーション装置１００は、ユーザの操作入力に応じて検索する悪天候エリアを決定する構成とされていてもよい。
【００７６】
なお、通信ネットワークに接続された不図示の管理サーバが、上述した実施の形態における各種処理の一部または全部を実行する構成としてもよい。または通信ネットワークに接続された不図示の管理サーバが、各種情報を記憶する記憶部を備える構成としてもよい。
【産業上の利用可能性】
【００７７】
本発明は、推奨スポットをユーザに提供する場合に有用である。
【符号の説明】
【００７８】
１０    制御部
１１    センサ情報処理部
１２    通信処理部
１３    経路探索部
２０    記憶部
２１    道路地図情報記憶部
２２    悪天候推奨ＰＯＩ情報記憶部
２３    検索結果情報記憶部
３０    メモリ
４０    出力部
５０    センサ部
６０    通信部
７０    入力部
１００  ナビゲーション装置
【図１】
2014202648.tif 000003
【図２】
2014202648.tif 000004
【図３】
2014202648.tif 000005
【図４Ａ】
2014202648.tif 000006
【図４Ｂ】
2014202648.tif 000007
【図４Ｃ】
2014202648.tif 000008
【図４Ｄ】
2014202648.tif 000009
【図５】
2014202648.tif 000010
【図６】
2014202648.tif 000011